(57)【要約】【課題】  本願発明は、嵌合部分に収容物が噛み込みにくい内嵌合容器を提供する。【解決手段】  蓋側嵌合部１４０を有する蓋体１００と、容器側嵌合部２４０を有する容器本体２００とを備え、前記蓋側嵌合部１４０が前記容器側嵌合部２４０に内嵌合する内嵌合容器３００であって、前記容器本体２００は、前記容器側嵌合部２４０の内側に、当該容器側嵌合部２４０の底壁２４２より上方に突出する噛込防止壁２３０を備え、前記底壁２４２から前記噛込防止壁２３０の上端２３１までの高さＨ１は、前記容器側嵌合部２４０の高さＨ２の半分以上であることを特徴とする。【選択図】図５
2020033027.tif 000002
【特許請求の範囲】
【請求項１】
蓋側嵌合部を有する蓋体と、容器側嵌合部を有する容器本体とを備え、
前記蓋側嵌合部が前記容器側嵌合部に内嵌合する内嵌合容器であって、
前記容器本体は、前記容器側嵌合部の内側に、当該容器側嵌合部の底壁より上方に突出する噛込防止壁を備え、
前記底壁から前記噛込防止壁の上端までの高さは、前記容器側嵌合部の高さの半分以上であることを特徴とする内嵌合容器。
【請求項２】
前記噛込防止壁の幅が、前記容器側嵌合部の幅の半分以上であることを特徴とする請求項１に記載の内嵌合容器。
【請求項３】
前記噛込防止壁は、前記容器本体の辺部のみに設けられていることを特徴とする請求項１又は２に記載の内嵌合容器。
【発明の詳細な説明】
【技術分野】
【０００１】
本願発明は、容器本体と蓋体とからなる嵌合容器に関し、蓋体が容器本体に内嵌合する内嵌合容器に関する。
【背景技術】
【０００２】
従来から、刺身等の食品を収容するための嵌合容器では、蓋体が容器本体に外嵌合する外嵌合容器が採用されてきた。外嵌合容器であれば、嵌合箇所が容器縁部の外側に位置しているので、刺身やツマ等の収容物が嵌合箇所に噛み込むことを効果的に防止できると、一般的に考えられてきたためである。しかしながら実際には、外嵌合容器であっても、刺身やツマ等の収容物の噛み込みが高い頻度で発生しているのが実状であった。
【０００３】
また、外嵌合容器は、その構造上、特許文献１から３に示すような内嵌合容器に比べて密閉性が一般的に劣るため、収容物の液漏れがし易い、収容物が乾燥し易い、蓋が外れ易いといった問題があった。ただ、刺身等の食品を保存するための嵌合容器として、特許文献１から３に示すような内嵌合容器を採用すると、刺身やツマ等の収容物の噛み込みが起こりやすいという問題が生じる。
【先行技術文献】
【特許文献】
【０００４】
【特許文献１】特許第４９２９３２０号
【特許文献２】特開２００３−６３５７３号
【特許文献３】特開２０１６−５５８８４号
【発明の概要】
【発明が解決しようとする課題】
【０００５】
そこで、本願発明は、上記問題に鑑み、嵌合部分に収容物が噛み込みにくい内嵌合容器を提供する。
【課題を解決するための手段】
【０００６】
上記課題を解決するために、本願発明の請求項１に係る内嵌合容器は、蓋側嵌合部を有する蓋体と、容器側嵌合部を有する容器本体とを備え、前記蓋側嵌合部が前記容器側嵌合部に内嵌合する内嵌合容器であって、前記容器本体は、前記容器側嵌合部の内側に、当該容器側嵌合部の底壁より上方に突出する噛込防止壁を備え、前記底壁から前記噛込防止壁の上端までの高さは、前記容器側嵌合部の高さの半分以上であることを特徴とする。
【０００７】
上記特徴によれば、容器側嵌合部の底壁から噛込防止壁の上端までの高さが、容器側嵌合部の高さの半分以上となっているので、収容物が容器側嵌合部に入り込みそうになっても、噛込防止壁が収容物の容器側嵌合部への侵入を効果的に防止している。その結果、蓋体を閉じた際に、収容物が容器側嵌合部に入り込んで、容器側嵌合部と蓋側嵌合部とが収容物を噛み込んでしまうことを、効果的に防止できる。
【０００８】
さらに、本願発明の請求項２に係る内嵌合容器は、前記噛込防止壁の幅が、前記容器側嵌合部の幅の半分以上であることを特徴とする。
【０００９】
上記特徴によれば、容器側嵌合部よりも内側に配置された噛込防止壁が、収容物と容器側嵌合部とを遠ざけて、収容物の容器側嵌合部への入り込みを効果的に防止している。
【００１０】
さらに、本願発明の請求項３に係る内嵌合容器は、前記噛込防止壁は、前記容器本体の辺部のみに設けられていることを特徴とする。
【００１１】
上記特徴によれば、容器本体内に収容された収容物と接する面積が最も大きいのは、容器本体の辺部であるため、その辺部に沿って噛込防止壁を設けて、収容物の噛み込みを効果的に防止しているのである。
【発明の効果】
【００１２】
本願発明の内嵌合容器は、嵌合部分に収容物が噛み込みにくい。
【図面の簡単な説明】
【００１３】
【図１】（ａ）は本願発明に係る内嵌合容器の蓋体の平面図、（ｂ）は蓋体の側面図である。
【図２】（ａ）は、図１（ａ）におけるＡ―Ａ端面図、（ｂ）は点線で囲った部分の拡大端面図である。
【図３】（ａ）は、本願発明に係る内嵌合容器の容器本体の平面図、（ｂ）は容器本体の側面図である。
【図４】（ａ）は、図３（ａ）におけるＢ―Ｂ端面図、（ｂ）は点線で囲った部分の拡大端面図、（ｃ）は容器本体のコーナー部付近を拡大した平面図である。
【図５】図２（ａ）に示す蓋体を、図４（ａ）に示す容器本体に嵌合した状態の内嵌合容器の端面図であって、嵌合箇所の周辺を拡大したものである。
【符号の説明】
【００１４】
１００        蓋体
１４０        蓋側嵌合部
２００        容器本体
２３０        噛込防止壁
２３１        上端
２４０        容器側嵌合部
２４２        底壁
Ｈ１、Ｈ２    高さ
３００        内嵌合容器
【発明を実施するための形態】
【００１５】
以下に、本願発明の実施形態について、図面を用いて説明する。なお、本明細書において、「上方」とは、内嵌合容器の容器本体の開口面を上にして水平面上に載置した際に、鉛直方向における上方に向かう方向のことであり、「下方」とは鉛直方向における下方に向かう方向のことである。
【００１６】
まず、図１及び図２には、本願発明に係る内嵌合容器３００の蓋体１００を示す。図１（ａ）は蓋体１００の平面図、図１（ｂ）は蓋体１００の側面図、図２（ａ）は図１（ａ）におけるＡ―Ａ端面図、図２（ｂ）は点線で囲った部分の拡大端面図である。
【００１７】
図１及び図２に示すように、蓋体１００は下方に開口した浅皿型形状であり、平面視長方形の天板１１０と、当該天板１１０から下方へ向けて連続する側壁１２０とを備える。この側壁１２０の下端１２１には、斜め下方へ延出する覆部１３０が設けられ、当該覆部１３０の下端部には、凸状の蓋側嵌合部１４０が設けられている。さらに、この蓋側嵌合部１４０より外側には、蓋側嵌合部１４０の上端側から水平方向へ延びる平坦なフランジ部１５０が設けられている。そして、側壁１２０、覆部１３０、蓋側嵌合部１４０及びフランジ部１５０は蓋体１００の周方向へ全周にわたり連続して設けられている。
【００１８】
また、図２に示すように、側壁１２０の下端１２１は、覆部１３０の内面１３１から突出しており、下端１２１と覆部１３０の間には段差が出来ている。さらに、蓋側嵌合部１４０は、覆部１３０から垂下する内壁１４１と、当該内壁１４１から略水平方向に伸びる平坦な底壁１４２と、当該底壁１４２から立ち上がる外壁１４４とを備える。また、外壁１４４は、内側から外側に向けて斜め下方へ傾斜する傾斜面１４３を備える。この傾斜面１４３は、いわゆるアンダーカット部である。
【００１９】
次に、本願発明に係る内嵌合容器３００の容器本体２００を図３及び図４に示す。図３（ａ）は容器本体２００の平面図、図３（ｂ）は容器本体２００の側面図、図４（ａ）は図３（ａ）におけるＢ―Ｂ端面図、図４（ｂ）は図４（ａ）において点線で囲った部分の拡大端面図、図４（ｃ）は容器本体２００のコーナー部２６２付近を拡大した平面図である。
【００２０】
図３及び図４に示すように、容器本体２００は、上方に開口した浅皿型形状であり、平面視長方形の底壁２１０と、当該底壁２１０から下方に膨出した脚部２１１と、当該脚部２１１から立ち上がるように形成された側壁２２０とを備える。さらに、この側壁２２０の上端には噛込防止壁２３０が設けられ、噛込防止壁２３０の外側には凹状の容器側嵌合部２４０が設けられている。また、この容器側嵌合部２４０より外側には、容器側嵌合部２４０の上端側から水平方向へ延びる平坦なフランジ部２５０が設けられている。そして、側壁２２０、容器側嵌合部２４０、及びフランジ部２５０は、容器本体２００の周方向へ全周にわたり連続して設けられている。
【００２１】
また、図３（ａ）及び図４（ｃ）に示すように、噛込防止壁２３０は、容器本体２００の辺部２６１に沿ってのみ形成されているが、容器本体２００のコーナー部２６２周辺には形成されていない。コーナー部２６２周辺では、噛込防止壁２３０の端部からコーナー部２６２の中央に向けて傾斜する傾斜面２２１が形成されている。そのため、コーナー部２６２周辺では、傾斜面２２１によって、噛込防止壁２３０が切り取られたようになっている。
【００２２】
さらに、傾斜面２２１の下端は、上下に延出するリブ２２２に連続している。このリブ２２２は、図３（ｂ）に示すように、コーナー部２６２において、側壁２２０から外側へ向けて凸状に形成されている。さらに、リブ２２２は、下端２２３から上端２２４にかけて次第に幅が広がる形状をしており、側面視で略三角形状をしている。リブ２２２の下端２２３は、脚部２１１の下端と同一面となっており、容器本体２００を平坦面に載置した際に、下端２２３は平坦面に直接当接できるようになっている。また、リブ２２２の上端２２４は容器側嵌合部２４０と連続している。
【００２３】
そして、蓋体１００を容器本体２００に嵌合させる際に、コーナー部２６２に下方への押圧力がかかるが、上下方向に延出するリブ２２２によって、コーナー部２６２は補強されて座屈強度が増しているため、コーナー部２６２は変形することがなく、蓋体１００を容器本体２００に嵌合し易いのである。さらに、コーナー部２６２にかかる応力は、リブ２２２の上端２２４から下端２２３へ伝達され、容器本体２００が載置されている平坦面へと分散されるのである。また、リブ２２２の上端２２４側の幅は下端２２３よりも広いため、上端２２４に連続する容器側嵌合部２４０にかかる応力を、上端２２４側で効果的に吸収して、下端２２３へと分散させることができる。
【００２４】
また、図４（ｂ）に示すように、容器側嵌合部２４０は、噛込防止壁２３０から垂下する内壁２４１と、当該内壁２４１から略水平方向に伸びる平坦な底壁２４２と、当該底壁２４２から立ち上がる外壁２４４とを備える。また、外壁２４４は、内側から外側に向けて斜め下方へ傾斜する傾斜面２４３を備える。この傾斜面２４３は、いわゆるアンダーカット部であり、蓋体１００の傾斜面１４３と強く当接する部分である。
【００２５】
また、噛込防止壁２３０は、上端２３１から側壁２２０へ向けて傾斜する内側傾斜面２３２と、上端２３１から容器側嵌合部２４０に向けて傾斜する外側傾斜面２３３を備える。また、噛込防止壁２３０は、容器側嵌合部２４０の内側に設けられ、容器側嵌合部２４０の底壁２４２よりも上方へ突出している。そして、噛込防止壁２３０の高さＨ１、すなわち、容器側嵌合部２４０の底壁２４２から上端２３１までの高さＨ１は、容器側嵌合部２４０の高さＨ２の半分以上となっている。この容器側嵌合部２４０の高さＨ２は、容器側嵌合部２４０の底壁２４２から、容器側嵌合部２４０の上端までの高さを意味しており、図４に示す実施例においては、容器側嵌合部２４０の底壁２４２から外壁２４４の傾斜面２４３の上端２４５までの高さとなっている。
【００２６】
また、噛込防止壁２３０の幅Ｌ１は、容器側嵌合部２４０の幅Ｌ２の半分以上となっている。なお、噛込防止壁２３０の幅Ｌ１は、図４（ｂ）に示すように、容器本体２００の縦断面において、噛込防止壁２３０の内端２３４から噛込防止壁２３０の外端２３５までの長さを意味し、容器側嵌合部２４０の幅Ｌ２は、容器側嵌合部２４０の内端２４６から容器側嵌合部２４０の外端２４７までの長さを意味する。
【００２７】
なお、本実施形態に係る蓋体１００及び容器本体２００は、熱盤成形可能な、厚さが０．１〜１．０ｍｍ程度のシート状の素材を用いるものであり、例えば、蓋体１００の素材としては、中身の視認性を確保し、適度な弾性を有するように、Ａ−ＰＥＴ、透明性のある二軸延伸ポリスチレン（中心ＯＰＳ）、又はポリプロピレン（ＰＰ）を、容器本体２００の素材としては、Ａ−ＰＥＴ、フィラー入りポリプロピレン（ＰＰＦ）、又はポリスチレン（ＰＳ）を用いることができる。また、蓋体１００及び容器本体２００は、平面視長方形であるが、この他にも、平面視多角形や平面視略円形等の任意の形状に適宜変更することができる。
【００２８】
では、次に図５を参照して、蓋体１００を容器本体２００に内嵌合した状態の内嵌合容器３００を示す。なお、図５は、図２（ａ）に示す蓋体１００を図４（ａ）に示す容器本体２００に嵌合した状態の内嵌合容器３００の端面図であって、嵌合箇所の周辺を拡大したものである。
【００２９】
図５に示すように、蓋体１００を容器本体２００の開口面を覆うように上から被せて、蓋体１００の蓋側嵌合部１４０を容器本体２００の容器側嵌合部２４０に内嵌合させると、内嵌合容器３００は密閉された状態となる。内嵌合容器３００の内部には、例えば刺身やツマ等の収容物Ｘが収容されているが、これに限定されず、内嵌合容器３００の内部には、様々な種類の食品等を収容できる。
【００３０】
そして、内嵌合容器３００は、その構造上、蓋側嵌合部１４０と容器側嵌合部２４０の嵌合が外れにくく密閉性が高いため、収容物Ｘの液漏れがし易い、収容物Ｘが乾燥し易い、及び蓋体１００が外れやすいといった問題が生じにくい。
【００３１】
さらに、本願発明の内嵌合容器３００では、容器側嵌合部２４０の底壁２４２から噛込防止壁２３０の上端２３１までの高さＨ１が、容器側嵌合部２４０の高さＨ２の半分以上となっているので、収容物Ｘが容器側嵌合部２４０に入り込みそうになっても、噛込防止壁２３０が収容物Ｘの容器側嵌合部２４０への侵入を効果的に防止している。その結果、蓋体１００を閉じた際に、収容物Ｘが容器側嵌合部２４０に入り込んで、容器側嵌合部２４０と蓋側嵌合部１４０とが収容物Ｘを噛み込んでしまうことを、効果的に防止できる。
【００３２】
なお、内嵌合容器３００の種類や使用環境によっては、蓋側嵌合部１４０や容器側嵌合部２４０の形状等の構成が変わり、また蓋側嵌合部１４０と容器側嵌合部２４０との嵌合具合も異なる。ただ、蓋体１００が容器本体２００から不用意に外れないようにするには、蓋側嵌合部１４０が容器側嵌合部２４０の高さ方向の少なくとも半分以上の部分と嵌合しているのが理想的である。そして、そのような理想的な状況下では、容器側嵌合部２４０の高さ方向の半分以上の部分で、収容物Ｘが噛み込まれる可能性があるのである。そこで、当該状況下において、収容物Ｘが噛み込まれることを効果的に防止するには、「容器側嵌合部２４０の底壁２４２から噛込防止壁２３０の上端２３１までの高さＨ１が、容器側嵌合部２４０の高さＨ２の半分以上とする」のが最適であることを導き出したのである。
【００３３】
なお、噛込防止壁２３０の高さＨ１は、容器側嵌合部２４０の高さＨ２の少なくとも半分以上であれば、図５に示すように、噛込防止壁２３０の高さＨ１が容器側嵌合部２４０の高さＨ２よりも大きく、噛込防止壁２３０の上端２３１が容器側嵌合部２４０よりも上方に突出していてもよい。そして、噛込防止壁２３０の高さＨ１を容器側嵌合部２４０の高さＨ２よりも大きくすることで、収容物Ｘの容器側嵌合部２４０への入り込みをより効果的に防止できる。
【００３４】
また、本願発明の内嵌合容器３００では、噛込防止壁２３０の幅Ｌ１が容器側嵌合部２４０の幅Ｌ２の半分以上となっているので、容器側嵌合部２４０よりも内側に配置された噛込防止壁２３０が、収容物Ｘと容器側嵌合部２４０とを遠ざけて、収容物Ｘの容器側嵌合部２４０への入り込みを効果的に防止している。
【００３５】
なお、噛込防止壁２３０の幅Ｌ１が、容器側嵌合部２４０の幅Ｌ２の少なくとも半分以上であれば、噛込防止壁２３０の幅Ｌ１を容器側嵌合部２４０の幅Ｌ２の７０％以上としてもよい。さらに、図５に示すように、噛込防止壁２３０の幅Ｌ１を容器側嵌合部２４０の幅Ｌ２よりも広くしてもよい。そして、噛込防止壁２３０の幅Ｌ１を容器側嵌合部２４０の幅Ｌ２よりも広くすることで、収容物Ｘが容器側嵌合部２４０からより遠ざかるため、収容物Ｘの容器側嵌合部２４０への入り込みをより効果的に防止できる。
【００３６】
また、噛込防止壁２３０は、収容物Ｘが容器側嵌合部２４０へ到達することを防止する部分なので、内側傾斜面２３２と外側傾斜面２３３を設けて、凹凸形状とした。そして、噛込防止壁２３０が凹凸状の複雑な形状となれば、収容物Ｘが凹凸部分にぶつかるため、それだけ収容物Ｘが容器側嵌合部２４０へ到達しにくくなり、その結果、収容物Ｘの容器側嵌合部２４０への入り込みをより効果的に防止できるのである。なお、噛込防止壁２３０は、図４に示す形状に限定されず、例えば、上端２３１が平坦面であったり、表面に凹凸を備えた形状であってもよい。
【００３７】
さらに、蓋体１００の覆部１３０は、噛込防止壁２３０との間に僅かな隙間を開けて、噛込防止壁２３０を覆う様に構成されている。そのため、収容物Ｘが噛込防止壁２３０の上にはみ出しても、覆部１３０によって収容物Ｘが押し潰されることはないのである。
【００３８】
さらに、側壁１２０の下端１２１は、覆部１３０の内面１３１から噛込防止壁２３０に向けて突出している。そのため、覆部１３０と噛込防止壁２３０の間に収容物Ｘが入り込もうとしても、下端１２１が収容物Ｘの入り込みを効果的に防止できるのである。
【００３９】
さらに、側壁１２０の下端１２１と噛込防止壁２３０の上端２３１の延出方向は、互い違いになっている。言い換えると、下端１２１と上端２３１は上下に直線状に並んでおらず、横方向にずらされて配置されている。そのため、覆部１３０と噛込防止壁２３０の間に収容物Ｘが入り込もうとしても、下端１２１と上端２３１とで、収容物Ｘの入り込みを二重に防止しているのである。
【００４０】
さらに、図５に示すように、噛込防止壁２３０の内側傾斜面２３２の上方への延出方向が覆部１３０に交差しているので、内側傾斜面２３２にはみ出た収容物Ｘは、内側傾斜面２３２の延出方向に沿って曲げられるが、収容物Ｘの先端は覆部１３０に当接して押し戻されるため、収容物Ｘの容器側嵌合部２４０への入り込みをより効果的に防止できるのである。
【００４１】
また、容器本体２００の容器側嵌合部２４０は、容器本体２００の底壁２１０よりも上方に配置されている。そのため、底壁２１０上に収容された収容物Ｘは、容器側嵌合部２４０に入り込みにくくなっている。
【００４２】
さらに、本願発明の内嵌合容器３００では、図３（ａ）及び図４（ｃ）に示すように、噛込防止壁２３０が容器本体２００の辺部２６１のみに設けられている。容器本体２００内に収容された収容物Ｘと接する面積が最も大きいのは、容器本体２００の辺部２６１であるため、その辺部２６１に沿って噛込防止壁２３０を設けて、収容物Ｘの噛み込みを効果的に防止しているのである。また、噛込防止壁２３０を容器本体２００の辺部２６１のみに設けて、コーナー部２６２には設けていない。蓋体１００の着脱は、コーナー部２６２を起点に行うので、コーナー部２６２に噛込防止壁２３０を設けないようにすることで、噛込防止壁２３０が蓋体１００の一部と干渉して、蓋体１００の着脱を邪魔することを防止したのである。
【００４３】
なお、本願発明の内嵌合容器３００は内嵌合の態様であるが、これに限定されず、本願発明の内嵌合容器は、噛込防止壁２３０側にも嵌合部を設けて、内嵌合と外嵌合の両方の特徴を備えた内外嵌合の態様であってもよい。
【００４４】
また、本願発明の内嵌合容器は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2020033027.tif 000003
【図２】
2020033027.tif 000004
【図３】
2020033027.tif 000005
【図４】
2020033027.tif 000006
【図５】
2020033027.tif 000007